(57)【特許請求の範囲】
【請求項１】
複数人について四肢末端の冷水負荷試験を行い、次式
皮膚温回復率Ｒ＝（Ｔ2−Ｔ1）／（Ｔ0−Ｔ1）×１００  （％）
（式中、Ｔ0は冷水負荷開始前の皮膚温、
Ｔ1は冷水負荷終了時の皮膚温、
Ｔ2は冷水負荷終了後所定時間経過したときの四肢末端の皮膚温）
により算出される皮膚温回復率Ｒであって冬季以外の季節に試験されたもの（以下、温暖季皮膚温回復率Ｒsという）と、該複数人についての冬季の鱗屑状態の評価値Ｄwとの関係を取得し、任意の被験者について温暖季皮膚温回復率を求め、前記温暖季皮膚温回復率Ｒsと冬季の鱗屑状態の評価値Ｄwとの関係に基づいて該被験者の冬季の鱗屑状態の評価値を予測する鱗屑状態の予測方法。
【請求項２】
冬季の鱗屑状態の評価値Ｄwを、冬季前の鱗屑状態に対する冬季の鱗屑状態の変化量として取得する請求項１記載の鱗屑状態の予測方法。
【請求項３】
温暖季皮膚温回復率Ｒsを高低の２段階で評価し、冬季の鱗屑状態を評価し、温暖季皮膚温回復率Ｒsと冬季の鱗屑状態の評価値Ｄwとの関係を取得する請求項１又は２記載の鱗屑状態の予測方法。
【請求項４】
頬、脛、手の甲、又は前腕の鱗屑状態を予測する請求項１〜３のいずれかに記載の鱗屑状態の予測方法。
【発明の詳細な説明】
【技術分野】
【０００１】
本発明は、冷水負荷試験の皮膚温回復率から鱗屑状態を予測する方法に関する。
【背景技術】
【０００２】
鱗屑は、皮膚表層の角化が不完全な状態で角質層が剥がれ落ちることであり、鱗屑状態が悪化すると、肌が白く粉をふいたような外観、あるいは角質がめくれあがったような外観となり、美容上問題となる。鱗屑状態には個人差があるが、一般に、温度が低く乾燥する冬季に悪化する人が多い。鱗屑状態の悪化に対しては、従来、対処療法的に保湿クリームを塗布することなどがなされている。
【０００３】
一方、顔面の温度変化による血流量の変化率が美容施術の継続によって向上することに基づき、血流量の変化率を指標として、マッサージ又は化粧料を用いる美容施術の効果を評価し、その評価結果を美容アドバイスで使用することが提案されている（特許文献１）。しかしながら、この技術は美容施術の効果を血流量の変化率で評価するもので、肌の見えを直接評価するものではない。肌の見えに係わる美容アドバイスでは、見た目の状態（肌の色、あれ状態等）を評価するほうが好ましく、例えば、鱗屑状態を評価し、対応をアドバイスできることが望ましい。
【０００４】
鱗屑状態の評価方法としては、フォトスケールを用いる方法、皮膚表面画像を取得し画像解析によって数値化する方法（非特許文献１）、粘着テープを皮膚に当てて角質片を採取し分析する方法等が知られている。
【先行技術文献】
【特許文献】
【０００５】
【特許文献１】特許第５０１３０５７号公報
【非特許文献】
【０００６】
【非特許文献１】Antioxidant supplements improve parameters related to skin structure in humans. Skin Pharmacology and Physiology 19: 224-231, 2006
【発明の概要】
【発明が解決しようとする課題】
【０００７】
しかしながら、従来の鱗屑状態の評価方法は、現時点での鱗屑状態を評価できるに過ぎず、症状があらわれているときに初めて症状を評価する方法である。言い換えると、症状がでていない温暖期に肌状態の評価を行うことはないし、また鱗屑状態が悪化しやすい冬季に初めて見た目に現れる肌の状態を事前に予測することはできない。
そこで、本発明の課題は、冬季における鱗屑の状態を予測可能にすることに関する。
【課題を解決するための手段】
【０００８】
本発明者は、冬季前に行った冷水負荷試験の皮膚温回復率から、冬季の鱗屑状態を予測できることを見出し、本発明を想到した。
【０００９】
即ち、本発明は、複数人について四肢末端の冷水負荷試験を行い、次式
皮膚温回復率Ｒ＝（Ｔ2−Ｔ1）／（Ｔ0−Ｔ1）×１００  （％）
（式中、Ｔ0は冷水負荷試験開始前の皮膚温、
Ｔ1は冷水負荷終了時の皮膚温、
Ｔ2は冷水負荷終了後所定時間経過したときの四肢末端の皮膚温）
により算出される皮膚温回復率Ｒであって冬季以外の季節に試験されたもの（以下、温暖季皮膚温回復率Ｒsという）と、該複数人についての冬季の鱗屑状態の評価値Ｄwとの関係を取得し、任意の被験者について温暖季皮膚温回復率Ｒs1を求め、前記温暖季皮膚温回復率Ｒsと冬季の鱗屑状態の評価値Ｄwとの関係に基づいて該被験者の冬季の鱗屑状態の評価値を予測する鱗屑状態の予測方法を提供する。
【発明の効果】
【００１０】
本発明によれば、症状や自覚のない時であっても、低温で湿度の低くなる冬季の鱗屑状態を予測できるので、冬季に鱗屑状態の悪化が予想される肌に対し、事前に適切な対応をとることが可能となる。したがって、冬季における鱗屑状態の悪化を防止し、肌を美容上美しく維持することが容易になる。
【図面の簡単な説明】
【００１１】
【図１】図１は、鱗屑状態のフォトスケールである。
【図２Ａ】図２Ａは、温暖季皮膚温回復率の高い群と低い群の温暖季皮膚温回復率の平均値の比較図である。
【図２Ｂ】図２Ｂは、温暖季皮膚温回復率の高い群と低い群の平均年齢の比較図である。
【図３】図３は、温暖季皮膚温回復率の高い群と低い群の、頬についての温暖季の鱗屑のスコアと冬季の鱗屑のスコアとの関係図である。
【図４】図４は、温暖季皮膚温回復率の高い群と低い群の、手の甲についての温暖季の鱗屑のスコアと冬季の鱗屑のスコアとの関係図である。
【図５Ａ】図５Ａは、温暖季皮膚温回復率の高い群と低い群の、脛についての温暖季の鱗屑のスコアと冬季の鱗屑のスコアとの関係図である。
【図５Ｂ】図５Ｂは、温暖季皮膚温回復率の高い群と低い群の、脛についての温暖季の鱗屑のスコアに対する冬季の鱗屑のスコアの変化量の関係図である。
【図６Ａ】図６Ａは、温暖季皮膚温回復率の高い群と低い群の、前腕についての温暖季の鱗屑のスコアと冬季の鱗屑のスコアとの関係図である。
【図６Ｂ】図６Ｂは、温暖季皮膚温回復率の高い群と低い群の、前腕についての温暖季の鱗屑のスコアに対する冬季の鱗屑のスコアの変化量の関係図である。
【図７Ａ】図７Ａは、皮膚温回復率の画像による提示例である。
【図７Ｂ】図７Ｂは、皮膚温回復率のグラフによる提示例である。
【発明を実施するための形態】
【００１２】
以下、図面を参照しつつ本発明を具体的に説明する。
＜鱗屑状態の予測方法の概要＞
本発明においては、概略、複数人から温暖季皮膚温回復率Ｒsと冬季の鱗屑状態の評価値Ｄwとの関係を取得しておき、その関係を任意の被験者に適用することにより、任意の被験者の温暖季皮膚温回復率から冬季の鱗屑状態を予測する。
【００１３】
ここで、冬季とは、例えば１２〜３月をいう。また、温暖季とは冬季以外の季節をいい、好ましくは平均気温が約２０℃、平均湿度が約６０％以上の時期であって、具体的には初夏から晩夏にかけての季節、より具体的には６月から９月をあげることができる。
【００１４】
また、温暖季皮膚温回復率Ｒsと冬季の鱗屑状態の評価値Ｄwとの関係を取得するための複数人の被験者は、男女別であることが好ましく、更にある一定の範囲内の年代で選択することが好ましい。
【００１５】
＜温暖季皮膚温回復率＞
温暖季皮膚温回復率Ｒsは、冬季以外の季節に試験された冷水負荷試験による皮膚温回復率である。上述の通り冬季以外の季節としては、初夏〜晩夏が好ましく、より具体的には６月〜９月をあげることができる。
【００１６】
冷水負荷試験は、四肢末端に、所定温度の冷水に所定時間浸漬する冷水負荷を加え、冷水負荷終了直後から所定時間経過後の四肢末端の皮膚温の回復過程を測定する試験であり、従来より冷え性の診断などに使用されている。
【００１７】
冷水負荷を加える部位は四肢末端の少なくとも一箇所であればよく、四肢末端としては、手首より末端側、足首より末端側等をあげることができ、皮膚温の測定部位としては、手の指先、足の指先などとすることができる。
【００１８】
皮膚温回復率Ｒは、次式により算出される。
皮膚温回復率Ｒ＝（Ｔ2−Ｔ1）／（Ｔ0−Ｔ1）×１００  （％）
（式中、Ｔ0は冷水負荷試験開始前の皮膚温、
Ｔ1は冷水負荷終了時の皮膚温、
Ｔ2は冷水負荷終了後所定時間経過したときの四肢末端の皮膚温）
【００１９】
この場合、Ｔ2の冷水負荷終了直後から四肢末端の皮膚温を測定するまでの時間は１〜６０分とすることが好ましく、１〜１０分がより好ましい。また、冷水負荷を行う際の環境温度は２０〜２８℃の範囲が好ましい。更に、冷水負荷試験において、四肢末端を挿入する冷水の温度は０〜２４℃、特に１０〜２３℃、更に１５〜２３℃が好ましく、負荷時間は１０秒〜２０分の範囲、特に０．５分〜1０分の範囲が好ましい。
【００２０】
皮膚温の測定法としては、サーモグラフィーや赤外線温度計など非接触の機器を用いて測定する方法、接触型の温度計を用いて測定する方法などがあるが、多点を同時に測定でき見た目に変化が分かりやすく、かつ衛生面での管理が容易であることからサーモグラフィーを用いる方法がより好ましい。
【００２１】
＜鱗屑状態の評価＞
鱗屑状態の評価部位としては、一般に鱗屑が目立ちやすい頬、脛、手の甲、前腕等をあげることができる。
【００２２】
鱗屑状態の評価値Ｄwは、フォトスケール、画像解析等で鱗屑状態を評価した場合の評価値として得ることができる。鱗屑状態の評価は冬季に行う。
【００２３】
フォトスケールで鱗屑状態を評価する場合、鱗屑が無いものから鱗屑が極めて進行した状態までを３〜９段階に区分し、各段階の代表的な写真を基準にして試料の鱗屑状態がいずれの段階に属するかを判断する。また、各段階には所定のスコアを与えておき、試料が属する段階のスコアをその試料の評価値とする。
【００２４】
一方、鱗屑状態を画像解析で評価する場合、Ｖｉｓｉｏｓｃａｎ（Courage+Khazaka社、ドイツ）などの装置を用い、Ｓｃａｌｉｎｇ  ｓｃｏｒｅとして算出する（非特許文献１）。
【００２５】
また、冬季の鱗屑状態の評価値として、フォトスケール等による評価値をそのまま使用してもよいが、冬季の鱗屑状態を、温暖季の鱗屑状態に対する冬季の鱗屑状態の差によって評価し、その差を評価値として使用してもよい。例えば、温暖季の鱗屑状態の評価値に対する冬季の鱗屑状態の評価値の変化量を冬季の鱗屑状態の評価値として使用することができる。
【００２６】
一般に、上述の変化量を求める際に基準とする温暖季の鱗屑状態としては、多くの人において鱗屑が少ない（即ち、視認されにくい）６月から９月の任意の時期の鱗屑状態とすることができる。
【００２７】
＜温暖季皮膚温回復率と鱗屑状態の評価値との関係＞
温暖季皮膚温回復率Ｒsと鱗屑状態の評価値Ｄwとの関係を取得する方法としては、温暖季皮膚温回復率Ｒsと鱗屑状態の評価値Ｄwを、それぞれ取得された数値のまま回帰分析してもよいが、温暖季皮膚温回復率Ｒsは、一般に回復率が高い群と低い群の２群に区分できることから、温暖季皮膚温回復率Ｒｓを高低の２段階で評価し、２段階で評価した温暖季皮膚温回復率Ｒsと鱗屑状態の評価値Ｄwとの関係を回帰分析で取得することもできる。
【００２８】
＜冬季の鱗屑状態の予測＞
上述の、温暖季皮膚温回復率と鱗屑状態の評価値との関係に基づき、任意の被験者の温暖季皮膚回復率から該被験者の冬季の鱗屑状態の評価値を予測する。
これにより、その被験者の冬季の鱗屑状態を冬季になる前の温暖季に予測することができる。したがって、予測された冬季の鱗屑状態が悪い場合には、鱗屑状態が悪化することを防止する対策を、予測された状態に応じて早めにとることが可能となる。
【００２９】
本発明者の知見によれば、温暖季皮膚温回復率の低い人は、温暖季皮膚温回復率の高い人に比べて冬季の鱗屑状態が悪化しやすい。従って、本発明の鱗屑状態の予測方法により回復率が低いと判定された人は、冬季に入る前にあらかじめ皮膚温回復率を改善することにより鱗屑の悪化を改善できるため、本発明は冬季に鱗屑状態が悪化しやすい人にとって特に有用となる。
【００３０】
＜鱗屑の予測に基づく美容アドバイス＞
皮膚温回復率の程度を被験者に提示する手段として、画像処理装置を用いることができる。例えば、図７Ａに示すように、冷水負荷後の被験者の四肢末端の画像と、同年代平均画像を並べて表示することにより、四肢末端の温度変化の程度を知ることができる。また、冷水負荷後の四肢末端画像に加え、図７Ｂに示すように、皮膚温変化を経時的に表示したグラフや、皮膚温回復率の同年代平均との差を表示したグラフをリーフレットとして提示することもできる。美容アドバイザーは、画像データやグラフの結果に基づき、使用する化粧料や肌の手入れ方法に係わる美容上のアドバイスを行うことができる。さらに、リーフレットにカウンセリングの内容やカウンセリングの実施状況が記録されることにより、被験者は美容アドバイスの効果を知ることもできる。
【００３１】
冬季に鱗屑状態が悪化しやすい人が事前にとる対策としては、例えば、冷え性を改善するサプリメント、飲料等を摂取する、習慣的に入浴する、マッサージを行う等をあげることができる。
【実施例】
【００３２】
以下、実施例に基づいて本発明を具体的に説明する。
【実施例１】
【００３３】
（１）温暖季皮膚温回復率
３０歳代から５０歳代の女性３７名を被験者とし、次の条件で冷水負荷試験を行い、温暖季皮膚温回復率を求めた。
試験時期：９月
冷水に浸漬する部位：右手手首より末端側
冷水温度：１５℃
冷水への浸漬時間：１分間
皮膚温測定部位：右手指先
皮膚温測定タイミング：冷水負荷開始前、冷水負荷終了時、冷水負荷終了後１０分
【００３４】
皮膚温は、赤外線サーモグラフィ（日本アビオニクス社製、サーモトレーサTH9260）により測定した。
【００３５】
（２）鱗屑状態の評価
（１）と同じ３７名の被験者の鱗屑状態を温暖季（９月）と冬季（２月）に評価した。
この場合、鱗屑の観察部位を脛、頬、手の甲、前腕とし、図１に示したフォトスケールを用いて、目視評価によって各画像の鱗屑状態に０〜５の評価値（スコア）を与えた。
【００３６】
なお、図１のフォトスケールの各スコアは、次の状態を表している。
スコア
０：粉ふき、鱗屑がない
１：わずかに粉ふきがある
２：中程度の粉ふき／鱗屑がある
３：著しい粉ふきと、わずかなひび割れがある
４：極めてひどい鱗屑と、ひび割れがある
【００３７】
また、フォトスケールによる鱗屑状態の評価は、専門評価者が行った。
【００３８】
（３）温暖季皮膚温回復率の２群化
（１）で求めた温暖季皮膚温回復率の分布が、回復率の高低によって２群に分かれたので、回復率７０％以上を「回復率高」とし、回復率７０％未満を「回復率低」とした。
図２Ａは、鱗屑「回復率高」群と「回復率低」群のそれぞれ回復率の平均値を示す。回復率高群と回復率低群の平均値には明らかな有意差が認められた。一方、図２Ｂに示すように、「回復率高」群の被験者の年齢と「回復率低」群の被験者の年齢には有意差がなかった。
【００３９】
（４）頬の鱗屑状態
温暖季皮膚温回復率の「回復率高」群と「回復率低」群のそれぞれについて、頬の鱗屑状態について、温暖季（９月）の鱗屑のスコアと冬季（２月）の鱗屑のスコアの分布を調べた。結果を図３に示す。図３から、温暖季皮膚温回復率の低い人は、冬季に頬の鱗屑状態が悪化することがわかる。
【００４０】
（５）手の甲の鱗屑状態
（４）と同様に、手の甲の鱗屑状態について、温暖季の鱗屑のスコアと冬季の鱗屑のスコアの分布を調べた。結果を図４に示す。図４から、温暖季皮膚温回復率の低い人は、冬季に手の甲の鱗屑状態が悪化することがわかる。
【００４１】
（６）脛の鱗屑状態
（４）と同様に、脛の鱗屑状態について、温暖季の鱗屑のスコアと冬季の鱗屑のスコアの分布を調べた。結果を図５Ａに示す。
また、温暖季皮膚温回復率の「回復率高」群と「回復率低」群のそれぞれについて、温暖季の鱗屑のスコアに対する冬季の鱗屑のスコアの変化量を求めた。結果を図５Ｂに示す。
【００４２】
図５Ａ及び図５Ｂから、温暖季皮膚温回復率の低い人も高い人も、冬季に脛の鱗屑状態が悪化するが、温暖季皮膚温回復率の低い人の方が悪化の程度が悪いことがわかる。
【００４３】
（７）前腕の鱗屑状態
（４）と同様に、前腕の鱗屑状態について、温暖季の鱗屑のスコアと冬季の鱗屑のスコアの分布を調べた。結果を図６Ａに示す。
また、温暖季皮膚温回復率の「回復率高」群と「回復率低」群のそれぞれについて、温暖季の鱗屑のスコアに対する冬季の鱗屑のスコアの変化量を求めた。結果を図６Ｂに示す。
【００４４】
図６Ａから、温暖季皮膚温回復率の低い人は冬季に前腕の鱗屑状態が悪化することがわかり、図６Ｂから、温暖季皮膚温回復率の低い人の方が冬季における鱗屑状態の悪化の程度が悪いことがわかる。
【実施例２】
【００４５】
<任意の被験者の冬季の鱗屑状態の予測>
任意の被験者Ａ及びＢについて、実施例１と同様の冷水温度１５℃、冷水への浸漬時間１分間の負荷試験を行い、冷水負荷終了後１０分後の回復率を測定した。被験者Ａ（３４歳）の温暖期の皮膚温回復率は１０９．８％、頬の鱗屑スコアは０であった。被験者Ｂ（３４歳）の温暖期の皮膚温回復率は５６．２％、頬の鱗屑スコアは０であった。被験者Ａは冬季に鱗屑ができにくいことが予想され、被験者Ｂは冬季に鱗屑が悪化することが予想された。
【００４６】
確認のため、同じ被験者に対して冬季に同様の試験を行った。冬季に測定された被験者Ａの鱗屑スコアは０であった。一方で冬季の被験者Ｂの鱗屑スコアは２であり、温暖期に皮膚温回復率が低い人は冬季に鱗屑が悪化しやすいことが示された。
【産業上の利用可能性】
【００４７】
本発明の鱗屑状態の評価方法は、冬季の鱗屑状態の悪化を防止するための美容上の評価方法として有用である。鱗屑状態の評価方法は、美容アドバイス、基礎化粧料の販売、美容食品、入浴剤、美容機器の販売等で使用することができる。
【図１】
0006485192.tif 000002
【図２Ａ】
0006485192.tif 000003
【図２Ｂ】
0006485192.tif 000004
【図３】
0006485192.tif 000005
【図４】
0006485192.tif 000006
【図５Ａ】
0006485192.tif 000007
【図５Ｂ】
0006485192.tif 000008
【図６Ａ】
0006485192.tif 000009
【図６Ｂ】
0006485192.tif 000010
【図７Ａ】
0006485192.tif 000011
【図７Ｂ】
0006485192.tif 000012